(57)【要約】【課題】  ファンユニットの筐体周囲に設けられたビス穴を活用してファンユニットを機器のフレームに固定可能にすると共に、ファンユニットの振動が機器のフレームに伝達されるのを良好に抑制することのできるファンユニット取付具の提供。【解決手段】  ファンユニット取付具１０は、ファンユニット１の筐体４とフレーム６との間に挟まれる第１制振部材１１と、固定用ビス５の頭部５ｂと筐体４との間に挟まれる第２制振部材１２とを備えている。第１制振部材１１に穿設されて固定用ビス５のネジ部５ａを挿入可能な第１穴部１１ａと、第２制振部材１２に穿設されてネジ部５ａを挿入可能な第２穴部１２ａとは、いずれもビス穴４ａよりも小さく形成されている。このため、固定用ビス５を締め付ければ、固定用ビス５は筐体４と直接接触せず、筐体４とフレーム６とも直接接触しないので、ファンユニット１の振動がフレーム６に伝達され難い。【選択図】  図３
2006108295.tif 000002
【特許請求の範囲】
【請求項１】
直流モータ及び冷却用ファンを筐体内に内蔵し、該筐体の周囲に固定用のビス穴を備えたファンユニットを、フレームに固定するためのファンユニット取付具であって、
上記ビス穴近傍で上記フレームと対向する上記筐体の端面と上記フレームとの間に配設され、制振材料で構成された第１制振部材と、
該第１制振部材に穿設され、上記ビス穴に挿入される固定用ビスが挿入可能で、かつ、上記ビス穴よりも小径に構成された第１穴部と、
上記ビス穴近傍で上記固定用ビスの頭部と対向する上記筐体の端面と上記頭部との間に配設され、制振材料で構成された第２制振部材と、
該第２制振部材に穿設され、上記固定用ビスが挿入可能で、かつ、上記ビス穴よりも小径に構成された第２穴部と、
上記第１穴部及び上記第２穴部が上記ビス穴の中心に配設されるように、上記第１制振部材及び上記第２制振部材を位置決めする位置決め手段と、
を備えたことを特徴とするファンユニット取付具。
【請求項２】
上記位置決め手段が、上記第１制振部材と上記第２制振部材とを接続し、上記筐体の側面に沿って配設可能な帯状部材であることを特徴とする請求項１記載のファンユニット取付具。
【請求項３】
上記帯状部材が、上記第１制振部材及び上記第２制振部材を構成する制振材料よりも伸縮性の優れた材料で構成されたことを特徴とする請求項２記載のファンユニット取付具。
【請求項４】
上記第１制振部材、上記帯状部材、及び上記第２制振部材が、平板状の板材を打ち抜くことで一体に構成されたことを特徴とする請求項２または３記載のファンユニット取付具。
【請求項５】
上記位置決め手段が、上記第１制振部材または上記第２制振部材の少なくともいずれか一方に形成され、上記第１穴部または上記第２穴部の周囲から突出して上記ビス穴に嵌合する凸部であることを特徴とする請求項１〜４のいずれかに記載のファンユニット取付具。
【請求項６】
上記第１穴部または上記第２穴部の少なくともいずれか一方が、上記固定用ビスのネジ部の外径よりも小径に構成されたことを特徴とする請求項１〜５のいずれかに記載のファンユニット取付具。
【発明の詳細な説明】
【技術分野】
【０００１】
本発明は、直流モータ及び冷却用ファンを筐体内に内蔵し、その筐体の周囲に固定用のビス穴を備えたファンユニットを、フレームに固定するためのファンユニット取付具に関し、詳しくは、ファンユニットの振動がフレームに伝達されるのを良好に抑制できるファンユニット取付具に関する。
【背景技術】
【０００２】
従来より、直流モータと冷却用ファンとを筐体内に内蔵し、一体化された一つのファンユニットとしてパソコン，プリンタ等の各種機器のフレームに取り付けることがなされている。また、この種のファンユニットは一般的に、送風方向（以下、前後方向という）の両端面が略正方形の直方体状に構成され、その四隅に固定用のビス穴が形成されている。このように構成されたファンユニットは、上記ビス穴に固定用ビスを挿入することによって各種機器のフレームに固定することができる。
【０００３】
ところが、ファンユニットはファンの駆動時に振動を発生するため、この振動が上記フレームに伝達されて騒音となる場合がある。そこで、ファンユニットの四隅を弾性材料製のファンユニット取付具で被覆し、そのファンユニット及びファンユニット取付具をフレームに載せた上で、その上から更にブラケットを被せて、そのブラケットをビス等でフレームに固定している（例えば、特許文献１参照）。
【０００４】
しかしながら、この場合、ファンユニットは、フレームとブラケットとの間にファンユニット取付具を介して挟まれることによって固定され、ファンユニットの四隅に設けられたビス穴は活用されない。また、ファンユニットの上からブラケットを被せる必要があるため、そのファンユニットを備えた機器の部品数が増えると共に小型化が困難になる。
【０００５】
一方、ファンユニットのビス穴を囲むようにゴムワッシャを配設し、ファンユニットからフレームに振動が伝達されるのを、そのゴムワッシャによって抑制しようとする試みもなされている（例えば、特許文献２，非特許文献１参照）。この場合、ファンユニットの筐体からフレームへ振動が直接伝達されるのはある程度抑制できるものの、固定用ビスを介して振動が伝達される場合があるため、充分に騒音を防止することができない恐れがある。
【特許文献１】特開２００１−３１３４８３号公報
【特許文献２】特開２００４−４９２８８号公報
【非特許文献１】”Ｓｈｕｔｔｌｅ ＳＴ６１Ｇ４ ＳｕｐｅｒＳｉｌｅｎｔ”、＜静音その２＞、[online]、有限会社オリオスペック、［平成１６年８月１２日検索］、インターネット＜ＵＲＬ：http://www.oliospec.com/windows/index_st61g4.html＞
【発明の開示】
【発明が解決しようとする課題】
【０００６】
そこで、本発明は、ファンユニットの筐体周囲（四隅に限定されない）に設けられたビス穴を活用してファンユニットをフレームに固定することで機器の小型化を可能にすると共に、ファンユニットの振動が機器のフレームに伝達されるのを良好に抑制することのできるファンユニット取付具の提供を目的としてなされた。
【課題を解決するための手段】
【０００７】
上記目的を達するためになされた本発明は、直流モータ及び冷却用ファンを筐体内に内蔵し、該筐体の周囲に固定用のビス穴を備えたファンユニットを、フレームに固定するためのファンユニット取付具であって、上記ビス穴近傍で上記フレームと対向する上記筐体の端面と上記フレームとの間に配設され、制振材料で構成された第１制振部材と、該第１制振部材に穿設され、上記ビス穴に挿入される固定用ビスが挿入可能で、かつ、上記ビス穴よりも小径に構成された第１穴部と、上記ビス穴近傍で上記固定用ビスの頭部と対向する上記筐体の端面と上記頭部との間に配設され、制振材料で構成された第２制振部材と、該第２制振部材に穿設され、上記固定用ビスが挿入可能で、かつ、上記ビス穴よりも小径に構成された第２穴部と、上記第１穴部及び上記第２穴部が上記ビス穴の中心に配設されるように、上記第１制振部材及び上記第２制振部材を位置決めする位置決め手段と、を備えたことを特徴としている。
【０００８】
このように構成された本発明では、上記ビス穴近傍で上記フレームと対向する筐体端面と上記フレームとの間には、第１制振部材が配設される。この第１制振部材は制振材料で構成されているので、ファンユニットの筐体から機器等のフレームへ直接振動が伝達されるのを良好に抑制することができる。
【０００９】
また、上記ビス穴近傍で固定用ビスの頭部と対向する筐体端面と上記頭部との間には、第２制振部材が配設される。しかも、第１制振部材に穿設された第１穴部、及び、第２制振部材に穿設された第２穴部は、いずれもビス穴よりも小径に構成されており、その第１穴部，第２穴部は位置決め手段によってビス穴の中心に配設されている。このため、第１穴部，第２穴部を介してビス穴に固定用ビスを挿入し、ファンユニットをフレームに固定した場合でも、ファンユニットの振動が固定用ビスに伝達されるのを良好に抑制することができる。なお、位置決め手段が第１穴部及び第２穴部をビス穴の中心に配設するとは、これらの説明からも自明なように、完全にビス穴の中心と一致する必要はなく、第１穴部及び第２穴部に挿入された固定用ビスがファンの駆動時にもビス穴の内壁に当接しない程度であればよい。
【００１０】
このように、本発明のファンユニット取付具を利用すれば、ファンユニットの筐体周囲に設けられたビス穴を活用してファンユニットをフレームに固定することができる。従って、前述のブラケットなどを更に設ける必要がなく、そのファンユニットが取り付けられる機器の部品数を減らして、その機器を良好に小型化することができる。また、ファンユニットの振動がフレームに直接伝達されるのも固定用ビスを介してフレームに伝達されるのも良好に抑制することができるので、騒音を良好に低減することができる。
【００１１】
なお、本発明における上記位置決め手段としては種々の形態を採用することができるが、例えば、上記位置決め手段が、上記第１制振部材と上記第２制振部材とを接続し、上記筐体の側面に沿って配設可能な帯状部材であってもよい。この場合、帯状部材の少なくとも一部が筐体の側面に係合することにより、第１制振部材及び第２制振部材を位置決めすることができる。また、この場合、第１制振部材と第２制振部材とが帯状部材を介して接続されるため、両制振部材がバラバラにならない。このため、第１制振部材及び第２制振部材を介してファンユニットをフレームに固定する作業の作業性が一層向上する。
【００１２】
更に、このような帯状部材は、上記第１制振部材及び上記第２制振部材を構成する制振材料よりも伸縮性の優れた材料で構成されてもよい。この場合、帯状部材が容易に伸縮するため、第１制振部材と第２制振部材との間隔は容易に変化させることができる。従って、厚さ（前述の、上記ビス穴近傍で上記フレームと対向する上記筐体の端面と、上記ビス穴近傍で上記固定用ビスの頭部と対向する上記筐体の端面との間隔）が異なるファンユニットにも良好に適用することができるといった更なる効果が生じる。
【００１３】
一方、前述のような帯状部材を位置決め手段として採用する場合、第１制振部材，帯状部材，及び第２制振部材は、平板状の板材を打ち抜くことで一体に構成されてもよい。この場合、平板状の板材をプレス等で打ち抜くことによって本発明のファンユニット取付具を容易に製造することができ、製造コストを一層良好に低減することができるといった更なる効果が生じる。なお、この場合でも、２色成形等の周知の方法で上記板材を成形しておけば、第１制振部材及び第２制振部材を構成する制振材料よりも伸縮性の優れた材料で帯状部材を構成ことができる。
【００１４】
また、上記位置決め手段としては他にも種々の構成が採用でき、例えば、上記位置決め手段が、上記第１制振部材または上記第２制振部材の少なくともいずれか一方に形成され、上記第１穴部または上記第２穴部の周囲から突出して上記ビス穴に嵌合する凸部であってもよい。この場合、凸部をビス穴に嵌合させることによって、第１穴部または第２穴部をビス穴の中心に良好に位置決めすることができる。
【００１５】
また更に、上記第１穴部及び第２穴部は、少なくともビス穴よりも小径であればよいが、上記第１穴部または上記第２穴部の少なくともいずれか一方が、上記固定用ビスのネジ部の外径よりも小径に構成された場合、次のような更なる効果が生じる。この場合、当該第１穴部または第２穴部に固定用ビスの先端を押し込めば、その第１穴部または第２穴部によって固定用ビスの先端が摘まれ、固定用ビスは落下しない。従って、その第１穴部または第２穴部に固定用ビスを仮止めすることができ、ファンユニットをフレームに固定する作業の作業性が一層向上する。
【発明を実施するための最良の形態】
【００１６】
次に、本発明の実施の形態を図面と共に説明する。図１（Ａ）は、本発明が適用された第１の実施の形態としてのファンユニット取付具１０の構成を表す斜視図であり、図１（Ｂ）はその背面図（すなわち図１（Ａ）奥側から見た図）である。また、図２は、そのファンユニット取付具１０の使用状態を表す説明図である。
【００１７】
図２に示すように、ファンユニット取付具１０は１つのファンユニット１に対して４個（図２では１個のみ図示した）使用され、ファンユニット１の四隅に装着される。ファンユニット１は、冷却用ファン２（図３参照）と直流モータ３とを筐体４内に内蔵した周知のもので、筐体４の四隅には、その筐体４を厚さ方向に貫通するビス穴４ａが設けられている。このビス穴４ａに固定用ビス５（図３参照）を挿入し、更にその固定用ビス５をパーソナルコンピュータ等のフレーム６に設けられたビス穴６ａ（図３参照）に挿入して図示しないナットを螺合させることにより、ファンユニット１をフレーム６に固定することができる。
【００１８】
しかしながら、ファンユニット１をこのようにフレーム６に直接固定すれば、冷却用ファン２の駆動時にファンユニット１の振動がフレーム６に伝達されて騒音となる場合がある。そこで、本実施の形態では、次のように構成されたファンユニット取付具１０をファンユニット１の四隅に装着した上で、前述のような固定用ビス５による固定がなされる。
【００１９】
すなわち、本実施の形態のファンユニット取付具１０は、図１（Ａ），（Ｂ）に示すように、略直角二等辺三角形の板状の第１制振部材１１及び第２制振部材１２を備え、両制振部材１１，１２の一対の短辺は、帯状部材としての一対のアジャストベルト１３，１３によって接続されている。また、第１制振部材１１には第１穴部１１ａが穿設され、第２制振部材１２には第２穴部１２ａが穿設されている。更に、第１制振部材１１及び第２制振部材１２の内側面には、台座部１１ｂ，１２ｂが設けられ、前述の第１穴部１１ａ，第２穴部１２ａは、この台座部１１ｂ，１２ｂの中央を貫通している。
【００２０】
第１制振部材１１及び第２制振部材１２は、「ロストマー」（登録商標第４４７６５１６号：特開２００１−１９８５３号公報参照）などの制振材料によって構成され、アジャストベルト１３，１３は低硬度のスチレン系エラストマ若しくはスチレン系ゲル材によって構成されている。ファンユニット取付具１０は、これら２種類の材料を用いて、２色成形によって成形されている。なお、台座部１１ｂ，１２ｂは、第１制振部材１１，第２制振部材１２と同様の材料に構成してもよいが、台座部１１ｂ，１２ｂを更に軟らかい材料で構成してもよい。後者の場合、ファンユニット固定具１０を装着したとき、軟らかい台座部１１ｂ，１２ｂを第１制振部材１１，第２制振部材１２によって筐体４に圧接することができる。
【００２１】
このように構成されたファンユニット取付具１０では、第１制振部材１１及び第２制振部材１２よりも、アジャストベルト１３，１３の方が優れた伸縮性を有している。そこで、アジャストベルト１３，１３を適宜伸長することにより、図２に示すように、第１制振部材１１及び第２制振部材１２が筐体４の厚さ方向両端面にそれぞれ当接するように、ファンユニット取付具１０を筐体４の四隅に装着することができる。ここでは、第１制振部材１１がフレーム６側の端面に配設されるものとする。
【００２２】
また、アジャストベルト１３，１３を筐体４の隣接する側面に係合させると、第１穴部１１ａ及び第２穴部１２ａがビス穴４ａの中心に配設される。ここで、図３に示すように、第１穴部１１ａの内径＝第２穴部１２ａの内径＝φａ、ビス穴４ａの内径＝φｂ、固定用ビス５のネジ部５ａの外径＝φｃ、とした場合、本実施の形態のファンユニット取付具１０は、φａ≦φｃ＜φｂを満たすように設計されている。このため、次のような効果が生じる。
【００２３】
先ず、φａ≦φｃであるので、第２穴部１２ａにネジ部５ａの先端を押し込めば、その第２穴部１２ａによってネジ部５ａの先端が摘まれ、固定用ビス５は落下しない。従って、第２穴部１２ａに固定用ビス５を仮止めすることができ、ファンユニット１をフレーム６に固定する作業の作業性が向上する。
【００２４】
この状態から固定用ビス５を締めていくと、筐体４とフレーム６との間に第１制振部材１１が挟まれ、固定用ビス５の頭部５ｂと筐体４との間に第２制振部材１２が挟まれた状態で、筐体４はフレーム６に固定される。また、このとき、φｃ＜φｂであるので、固定用ビス５のネジ部５ａはビス穴４ａの内壁に当接しない。
【００２５】
このため、第１制振部材１１によって、ファンユニット１の筐体４からフレーム６にファンユニット１の振動が直接伝達されるのを抑制することができる。また、第２制振部材１２によって、固定用ビス５の頭部５ｂに上記振動が直接伝達されるのを抑制することができ、φｃ＜φｂとした上記構成によって固定用ビス５のネジ部５ａに上記振動が直接伝達されるのを抑制することができる。従って、本実施の形態では、ファンユニット１の振動がフレーム６に伝達されるのを良好に抑制することができ、延いては、騒音の発生を良好に防止することができる。
【００２６】
また、本実施の形態では、ビス穴４ａを活用してファンユニット１をフレーム６に固定することができるので、ファンユニット取付具１０の上から更にブラケットを被せて固定する場合に比べて、部品点数を減らして機器を小型化することができる。更に、本実施の形態では、アジャストベルト１３，１３を介して第１制振部材１１と第２制振部材１２とが接続されるため、両制振部材１１，１２がバラバラにならず、ファンユニット１をフレーム６に固定する作業の作業性が一層向上する。しかも、アジャストベルト１３，１３は前述のように伸縮性を有するので、第１制振部材１１と第２制振部材１２との間隔が調整でき、ファンユニット取付具１０は大きさの異なるファンユニット１にも良好に適用することができる。
【００２７】
また、前述の２色成形時に、図４に示すような凸部１２ｂを第２制振部材１２の筐体４側端面に設ければ、ネジ部５ａがビス穴４ａに当接するのを一層良好に防止することができる。なお、図４では第２制振部材１２を例にとって描いたが、第１制振部材１１にも同様の凸部を設けてもよく、第１制振部材１１にのみ設けてもよい。
【００２８】
図４に示すように、凸部１２ｂは、第２穴部１２ａの周囲から突出してビス穴４ａの開口部に嵌合するように、略球面状に突出成形されている。このため、この凸部１２ｂをビス穴４ａに嵌合させることによって、第２穴部１２ａをビス穴４ａの中心に位置決めすることができる。従って、このような凸部１２ｂを設けた場合、ネジ部５ａがビス穴４ａに当接するのを一層良好に防止することができる。更に、このような凸部を第１制振部材１１にも設けた場合、アジャストベルト１３，１３が位置決め手段としての機能を有さなくてもよく、或いは、アジャストベルト１３，１３は省略してもよい。本発明は、このように第１制振部材１１と第２制振部材１２とが別体に構成されたものも含んでいる。
【００２９】
また、アジャストベルト１３，１３は、図５に示すように薄肉に形成してもよく、この場合、アジャストベルト１３，１３の伸縮性を一層向上させることができる。アジャストベルト１３，１３をこのように薄肉に形成する場合、アジャストベルト１３，１３を第１制振部材１１及び第２制振部材１２と同じ材料で構成してもよい。
【００３０】
更に、アジャストベルト１３，１３は、図６に示すように蛇腹状に形成してもよく、この場合も、アジャストベルト１３，１３の伸縮性を一層向上させることができる。アジャストベルト１３，１３をこのように蛇腹状に形成する場合も、アジャストベルト１３，１３を第１制振部材１１及び第２制振部材１２と同じ材料で構成することができる。
【００３１】
また更に、アジャストベルト１３，１３に応力集中を促すことによって、第１制振部材１１及び第２制振部材１２の変形を抑制することも考えられる。この応力集中を促す方法としては、例えば、図７に示すようにアジャストベルト１３，１３の付け根部分にその端縁方向から切り込み１３ａを入れる方法や、図８に示すように、アジャストベルト１３，１３の付け根部分に厚さ方向から切り込み１３ｂを入れる方法が考えられる。
【００３２】
なお、図５〜図８では台座部１１ｂ，１２ｂを省略して描いているが、図１〜図８に示す各実施の形態において、実際に台座部１１ｂ，１２ｂを省略してもよく、台座部１１ｂ，１２ｂを設けてもよい。
【００３３】
次に、本発明の第２の実施の形態について説明する。本実施の形態のファンユニット取付具２０は、第１制振部材１１，第２制振部材１２と同様の制振材料にて構成された平板状の板材２００を、図９に示すように打ち抜くことで一体に構成されている。
【００３４】
図９に示すように、本実施の形態のファンユニット取付具２０は、ファンユニット取付具１０と同様、略直角二等辺三角形の板状の第１制振部材２１及び第２制振部材２２を備え、両制振部材２１，２２の一方の短辺が、帯状部材２３によって接続されている。また、ファンユニット取付具１０と同様、第１制振部材２１及び第２制振部材２２には、第１穴部２１ａ及び第２穴部２２ａが穿設されている。
【００３５】
このように構成されたファンユニット取付具２０は、左右対称な一対のファンユニット取付具２０を一組として使用され、次のようにしてファンユニット１に装着される。すなわち、図１０に示すように、筐体４の固定用ビス５が挿入される側の端面に第２制振部材２２，２２を重ねて配設し、帯状部材２３，２３を第２制振部材２２，２２に対する付け根で折り曲げた後、筐体４のフレーム６（図３参照）側端面で第１制振部材２１，２１を重ねて使用される。この場合、筐体４の稜、または、筐体４のすぐ上に配設された第２制振部材２２または第１制振部材２１の稜に沿って帯状部材２３を折り曲げることで、第２穴部２２ａまたは第１穴部２１ａをビス穴４ａの中心に配設することができる。そして、第１の実施の形態と同様に固定用ビス５でフレーム６に固定することにより、同様の効果が生じる。
【００３６】
また、本実施の形態では、板材２００をプレス等で打ち抜くことで製造できるため、製造コストを一層良好に低減することができる。なお、板材２００は２色成形にて製造してもよく、この場合、帯状部材２３の伸縮性を第１制振部材２１及び第２制振部材２２よりもよくすることも可能である。
【００３７】
また、このように板材２００を打ち抜くことでファンユニット取付具２０を製造する場合、次のような凸部２２ｂを形成して、図４で説明した凸部１２ｂと同様の効果を得ることも可能である。すなわち、第２穴部２２ａをプレスで打ち抜いて形成する場合、その第２穴部２２ａの縁を打ち抜き方向に突出させて図１１に示すような凸部２２ｂとすることができる。この場合も、凸部２２ｂをビス穴４ａの開口部に嵌合させて、第２穴部２２ａをビス穴４ａの中心に位置決めすることができる。なお、このようにして凸部を形成する場合、第１穴部２１ａと第２穴部２２ａとの双方に同様の凸部を形成するためには、第１穴部２１ａと第２穴部２２ａとを図９の紙面に対して互いに反対方向から打ち抜くことになる。
【００３８】
なお、図１０の例では、図示上方から一方の第２制振部材２２、他方の第２制振部材２２、筐体４、一方の第１制振部材２１、他方の第１制振部材２１の順で配設しているが、図１２に示すように、一方の第２制振部材２２、他方の第２制振部材２２、筐体４、他方の第１制振部材２１、一方の第１制振部材２１の順で配設してもよい。また、帯状部材２３が筐体４の各側面に必ずしも配設される必要がない場合は、筐体４の四隅にファンユニット取付具２０を１つずつ用いてもよい。
【００３９】
更に、図１３に示すように、第１制振部２１及び第２制振部２２の直角の頂点を対向させ、その頂点間に帯状部材２３を設けてもよい。この場合、図１４に示すように、筐体４の四隅の稜線に沿って帯状部材２３を配設してファンユニット取付具２０を装着することができる。この場合も、上記各実施の形態と、ほぼ同様の作用・効果が生じる。
【００４０】
以上、具体的な実施の形態を挙げて本発明を説明したが、上記各実施の形態において、アジャストベルト１３，凸部１２ｂ，帯状部材２３，または凸部２２ｂが位置決め手段に相当する。また、本発明は上記実施の形態に何ら限定されるものではなく、本発明の要旨を逸脱しない範囲で種々の形態で実施することができる。
【００４１】
例えば、第１制振部材１１，２１及び第２制振部材１２，２２を構成する制振材料としては、前述の「ロストマー」等のスチレン系エラストマの他、オレフィン系，ウレタン系，ポリエステル系等の射出成形可能な熱可塑性エラストマ、若しくは加硫ゴムなど、種々の材料を使用することができる。但し、良好な振動・騒音防止効果を得るためには、ＪＩＳＡ硬度で９０以下のものを使用するのが望ましい。
【００４２】
また、アジャストベルト１３や帯状部材２３に位置決め手段としての機能はなくてもよく、固定用ビス５を締め付けることで第１穴部１１ａ，２１ａ及び第２穴部１２ａ，２２ａをビス穴４ａの中心に位置決めしてもよい。この場合、第１制振部材１１，２１及び第２制振部材１２，２２の筐体４側端面が位置決め手段に相当する。すなわち、位置決め手段としては、前述のアジャストベルト１３や帯状部材２３のように筐体４への係合を利用したものに限らず、種々の形態が考えられる。また、第１穴部１１ａ，２１ａ及び第２穴部１２ａ，２２ａを完全にビス穴４ａの中心と一致させる必要はなく、固定用ビス５が冷却用ファン２の駆動時にもビス穴４ａの内壁に当接しない程度に位置決めすればよい。
【００４３】
更に、第１制振部材１１，２１及び第２制振部材１２，２２としては種々の形状が採用でき、両者はアジャストベルト１３または帯状部材２３によって接続されていなくてもよい。また更に、第１制振部材１１，２１及び第２制振部材１２，２２は、予め筐体４と一体に成形されていてもよい。また、ファンユニットのビス穴は、上記のように四隅に設けられた場合に限らず、３点，６点など種々の場合が想定される。
【００４４】
図１５（Ａ），（Ｂ）は、予め筐体４と一体に成形されたファンユニット取付具３０を例示する斜視図である。図１５（Ａ）に示すように、筐体４が、直流モータ３の回転軸に沿って平行配置された２枚の取付板４１，４２から構成される場合、フレーム６側の取付板４１の四隅に第１制振部材３１を、取付板４２の四隅に第２制振部材３２を、それぞれ一体に成形することによってファンユニット取付具３０を構成してもよい。
【００４５】
また、図１５（Ｂ）に示すように、筐体４が直方体状に構成される場合、その筐体４のフレーム６側の各角部に４個の第１制振部材３１を、他の角部に４個の第２制振部材３２を、それぞれ一体に成形することによって、ファンユニット取付具３０を構成してもよい。なお、図１５（Ａ），（Ｂ）では、上記各実施の形態と同様に、第１穴部を３１ａで、第２穴部を３２ａで、それぞれ表した。
【図面の簡単な説明】
【００４６】
【図１】第１の実施の形態としてのファンユニット取付具の構成を表す斜視図及び背面図である。
【図２】そのファンユニット取付具の使用状態を表す斜視図である。
【図３】そのファンユニット取付具の穴部の径の関係を表す説明図である。
【図４】そのファンユニット取付具に凸部を設けた変形例の構成を表す断面図である。
【図５】上記ファンユニット取付具のアジャストベルトに関する変形例の構成を表す斜視図である。
【図６】上記ファンユニット取付具のアジャストベルトに関する他の変形例の構成を表す斜視図である。
【図７】上記ファンユニット取付具のアジャストベルトに関する更に他の変形例の構成を表す斜視図である。
【図８】上記ファンユニット取付具のアジャストベルトに関する更に他の変形例の構成を表す斜視図である。
【図９】第２の実施の形態としてのファンユニット取付具の構成を表す平面図である。
【図１０】そのファンユニット取付具の使用状態を表す説明図である。
【図１１】そのファンユニット取付具に凸部を設けた変形例の構成を表す断面図である。
【図１２】上記ファンユニット取付具の他の使用状態を表す斜視図である。
【図１３】上記ファンユニット取付具の変形例の構成を表す平面図である。
【図１４】その変形例の使用状態を表す斜視図である。
【図１５】筐体と一体に成形されたファンユニット取付具を例示する斜視図である。
【符号の説明】
【００４７】
１…ファンユニット    ２…冷却用ファン      ３…直流モータ      ４…筐体
４ａ…ビス穴          ５…固定用ビス        ５ａ…ネジ部        ５ｂ…頭部
６…フレーム          ６ａ…ビス穴          １０，２０…ファンユニット取付具
１１，２１，３１…第１制振部材              １１ａ，２１ａ，３１ａ…第１穴部
１２，２２，３２…第２制振部材              １２ａ，２２ａ，３２ａ…第２穴部
１２ｂ，２２ｂ…凸部      １３…アジャストベルト      １３ａ，１３ｂ…切り込み
２３…帯状部材            ２００…板材
【図１】
2006108295.tif 000003
【図２】
2006108295.tif 000004
【図４】
2006108295.tif 000005
【図５】
2006108295.tif 000006
【図６】
2006108295.tif 000007
【図７】
2006108295.tif 000008
【図８】
2006108295.tif 000009
【図９】
2006108295.tif 000010
【図１０】
2006108295.tif 000011
【図１１】
2006108295.tif 000012
【図１２】
2006108295.tif 000013
【図１３】
2006108295.tif 000014
【図１４】
2006108295.tif 000015
【図１５】
2006108295.tif 000016
【図３】
2006108295.tif 000017